(57)【要約】      （修正有）【課題】  建築物、その他の対象物の屋根面や壁面の一定位置に沿って概ね水平に固定して、屋根面や壁面に散水することが簡易に可能な散水装置を提供する。【解決手段】  水平方向に散水するための散水装置であって、複数の通水孔１ａを長手方向に列状に有する軟質の散水チューブ１と、断面が略Ｃ字形で、散水チューブ１の外側に、該散水チューブの通水孔が露出するように外嵌して散水チューブを保持するための水平保持具２と、該散水チューブ１の端部に内嵌した端部導入具３とを有する水平保持散水装置。【選択図】  図１
2005341838.tif 000002
【特許請求の範囲】
【請求項１】
水平方向に散水するための散水装置であって、複数の散水孔１ａを長手方向に列状に有する軟質の散水チューブ１と、断面が略Ｃ字形で、散水チューブ１の外側に、該散水チューブの散水孔が露出するように外嵌して散水チューブを保持するための水平保持具２と、該散水チューブ１の端部に内嵌した端部導入具３とを有することを特徴とする水平保持散水装置。
【請求項２】
該軟質の散水チューブ１の内部に所定水圧を付加した供給水を供給可能な送水装置を更に備えてなることを特徴とする水平保持散水装置。
【発明の詳細な説明】
【技術分野】
【０００１】
本発明は、水平方向に散水するための散水装置である。詳しくは、軟質の散水チューブと特定の水平保持具を組み合わせた構成を有し、ビルディング、温室、豚舎、牛舎、鶏舎などの建築物の屋根面や壁面、或いは、織布、不織布などで構成されたテント類やカーテン類の壁面に水を水平方向に均一に散水するための散水装置を提供するものである。
【背景技術】
【０００２】
近年、ヒートアイランド現象と呼ばれる都市部の温暖化現象が問題視されており、その対策の一つとして、ビルディングなどの建築物の屋根や壁面に水を徐々に流し、その水分が蒸発する際の気化熱を利用して気温を下げるという方法が提案されている。このような方法は、セラミック系の材質で構成された建築物に限らず、その他透明ガラスや透明プラスチックフィルムで構成された建築物にも適用できる。また、温室や、豚舎、牛舎、鶏舎等の建築物の屋根や壁面に対する減熱目的にも適用できる。
【０００３】
従来、このような屋根や壁面への散水に適した装置はあまり知られていない。散水といえば、例えば畑などの農業用途での作物栽培時における潅水目的に用いられる、多数の散水孔が高精度で規則正しく配列された軟質ポリ塩化ビニル系樹脂製やポリオレフィン系樹脂製などの散水チューブを応用するのが簡便であるが、このような樹脂製の散水チューブは軟質であるため、建築物の屋根面や壁面の一定位置に水平に固定することは難しい。近年、建物壁面への濾水確認試験を目的として、仮設される足場に散水ホースを接着テープやロープ等で取り付けて、壁面に散水する方法などが提案（特許文献１）されているが、足場がない壁面への散水作業は無理であるし、固定するためのテープ等を複数必要とし、また、壁面の高い位置への設置を行うことは難しいという問題がある。
【０００４】
一方、硬質合成樹脂管に孔を開けたものを用いることも考えられるが、散水に適した散水孔を規則正しく高精度で形成することが難しく、その結果、均一散水を行うことができず、また、目詰まり等が生じた際の修理や交換が難しいという問題がある。
また、最近、豚舎、牛舎、鶏舎で発生するアンモニア、メルカプタン成分等の糞尿臭気の建屋周辺外への拡散を抑制する目的で、建屋周辺に光触媒をコーティングした織布、或いは不織布で構成されたテント類やカーテン類の壁面に散水チューブを活用して水平方向に散水して光触媒の働きによる臭気成分の分解、脱臭を行う方法が検討されているが、その場合でも散水チューブを対象面に沿って一定位置に水平に固定することは難しく、同様に、対象とする面に均一に散水が可能な新規の散水装置が所望されている。
【０００５】
【特許文献１】特開２００４−９３３０９号公報
【発明の開示】
【発明が解決しようとする課題】
【０００６】
しかして本発明の目的は、建築物、その他の対象物の屋根面や壁面の一定位置に沿って概ね水平に固定して、屋根面や壁面に散水することが簡易に可能な散水装置を提供することであり、更に好ましくは、目詰まり時の修理や交換が簡便であり、該壁面への固定着脱を容易に行うことができる水平保持水装置を提供するものである。
【課題を解決するための手段】
【０００７】
本発明者らは鋭意検討した結果、軟質の散水チューブと特定の水平保持具を組み合わせた構成を提供することで、建築物やその他の対象物の屋根面や壁面に水を水平方向に均一に散水することを見出し、本発明に至った。
すなわち本発明の要旨は、水平方向に散水するための散水装置であって、複数の散水孔１ａを長手方向に列状に有する軟質の散水チューブ１と、断面が略Ｃ字形で、散水チューブ１の外側に、該散水チューブの散水孔が露出するように外嵌して散水チューブを保持するための水平保持具２と、該散水チューブ１の端部に内嵌した端部導入具３とを有することを特徴とする水平保持散水装置、更に該軟質の散水チューブ１の内部に所定水圧を付加した供給水を供給可能な送水装置を更に備えてなることを特徴とする水平保持散水装置に存する。
【発明の効果】
【０００８】
本発明の水平保持散水装置によれば、従来農業用途等で用いられている軟質の散水チューブを用いて、屋根面や壁面に沿って水平に固定した状態での対象面への均一散水が簡易に可能となる。更に好ましくは、目詰まり時の修理や交換が簡便であり、該壁面への固定着脱を容易に行うことができる散水装置が得られる。
【発明を実施するための最良の形態】
【０００９】
以下、本発明の実施の形態を図１及び図２に基づいて説明するが、本発明はこれらの実施形態に限られるわけではない。
図１には、本発明の水平保持散水装置の斜視図を示し、図２には、本発明の水平保持散水装置を建築物等の壁面に沿って設置した際の利用態様の一例を示す概略図を示す。
【００１０】
図１に示すとおり、本発明の水平保持散水装置は、少なくとも、複数の散水孔１ａを有する軟質の散水チューブ１と、水平保持具２と、端部導入具３を有するものである。
軟質の散水チューブ１とは、軟質塩化ビニル系樹脂、ポリオレフィン系樹脂などの樹脂に、必要に応じた各種添加剤、例えばカーボン、耐候安定剤、酸化防止剤、無機フィラー、滑材、顔料、染料、帯電防止剤、可塑剤などの各種添加剤を適宜添加した軟質の樹脂組成物で作られたチューブ状の管であって、従来、農業用途などで用いられている散水チューブ等を利用することが可能であり、通常、これらの散水チューブは、散水孔を穿設した二枚の長尺状熱可塑性樹脂フィルムを重ね合わせて、幅方向の両端を長尺方向に融着することによって形成された貼合タイプのもの（例えば、特開昭５８−６３３３５号報）、および、溶融押出法によって熱可塑性樹脂を円筒状のスリットから溶融押出し、直接チューブ状に成形加工し、得られたチューブに散水孔を穿設した非貼合タイプのもの（例えば、特開平２−２５８１８７号報）が存在する。
【００１１】
該散水チューブ１には、その長手方向に列状に、複数の散水孔１ａが適当な間隔で形成されている。散水チューブの一端からその内部に、所定水圧をかけて供給水を送水することにより、均一な散水特性を達成できるように、精度の高い穿孔処理、具体的にはポンチ打ち抜き法や、熱針穿孔法、或いはレーザー穿孔法などの方法により、ある程度の規則をもって配列された多数の小孔を有する。
本発明で用いる散水チューブの形状及び長さは、使用する壁面の規模等により任意に採用でき特に限定されないが、例えば内径が１０〜８０ｍｍΦ、肉厚が０．１〜２ｍｍ程度のチューブを利用することができる。
また散水チューブに設ける散水孔１ａの大きさも、任意の大きさを採用しうるが、通常、孔径として０．１〜２ｍｍΦ程度であり、散水孔の間隔も１０〜２００ｍｍ程度である。  該散水孔は、１〜１０程度の列状に（規則的又は不規則的の両方を含む意味で用いる）点在していてよいが、少なくとも、散水チューブの一方の面側に複数設けられていることを必要とする。
【００１２】
本発明で用いる水平保持具２とは、断面が略Ｃ字形で、前記軟質の散水チューブ１の外側に外嵌して、軟質散水チューブを水平に保持するための部材であって、硬質部材で形成されてなり、散水チューブ１の外径と略同一内径を有しており、散水チューブ１に対してスライドして外嵌装着可能な部材である。また、前記散水チューブ１に設けられた散水孔が存在する面が露出するように、即ち、該水平保持部材の略Ｃ字形の開口部分が、散水孔が存在する面に対応するようにして、散水チューブ１の外側に外嵌する。
このような水平保持具２としては、ある程度の保形性と、屋外使用時の耐候性を有する材質であれば任意に採用しうるが、例えば塩化ビニル製の塩ビ管などの硬質合成樹脂製の管、または金属製の管を利用することができる。また、断面が略Ｃ字形とは、少なくとも散水チューブが容易に落下しないための断面形状を有する必要があり、円管の断面の一部分（好ましくは円周の１／８〜１／２より少ない範囲）を切断除去することにより得ることができ、また一方、硬質合成樹脂の場合には、異型押出法により予め所定のＣ字形に設計されたスリット部から溶融押出加工を行うことにより得ることが出来る。
本発明で用いる水平保持具２は、散水チューブと略同じ長さのものを利用してもよいが、複数の短めの水平保持具２を連結して用いて、またはある程度の間隙をもって用いて、散水チューブの外側に外嵌して使用してもよい。
【００１３】
本発明で用いる端部導入具３とは、散水チューブ１の端部に内嵌してなり、散水チューブ１の水平保持具２内へのスライド装着をスムーズにし、かつ装着後の散水チューブの脱落を防止するための硬質管であり、水平保持具２の内径と略同一又は若干小さな外径を有する部材である。ある程度の保形成と耐候性を有する材質であれば任意に採用しうるが、例えば硬質塩ビ管などの硬質合成樹脂製の管や金属製の管を利用することができる。
更に本発明で用いる送水装置とは、散水チューブ１の内部に所定水圧を付加して供給水を供給可能な送水装置であり、従来用いられている、ポンプと送水管を使用することができる。
【００１４】
以上、このように、軟質の散水チューブと特定の水平保持具を組み合わせた構成を提供することで、建築物やその他の対象物の屋根面や壁面に水を水平方向に均一散水が簡易に可能となり、更には、目詰まり時の修理や交換が簡便であり、該壁面への固定着脱を容易に行うことができる。
この散水装置を用いることで、従来の作物露地栽培、或いは施設園芸用ハウス栽培において、散水チューブを地面よりも高所の位置に水平方向に敷設して作物への頭上潅水システムへの応用も可能とならしめる。
【実施例】
【００１５】
本発明について、以下の具体的な実施例により、さらに詳細に説明する。
尚、実施例に示した散水チューブ１は以下の通り。
（散水チューブ１）
材質：密度が０．９２ｇ／ｃｍ３、メルトインデックスが２ｇ／１０分のエチレン−（４メチルペンテン−１）共重合体４７重量部、メルトインデックスが１ｇ／１０分、酢酸ビニル含有量が１０重量％のエチレン−酢酸ビニル共重合体５０重量部、カーボンブラック３重量部の組成よりなるポリオレフィン系組成物
仕様：管径２５ｍｍΦ、折径３８ｍｍ、肉厚０．５０ｍｍ、散水孔径０．３０ｍｍΦ、散水孔ピッチ２０ｍｍ、散水孔列数１（図３の設計図参照。図中数値はｍｍを示す）でレーザーにて穿孔設計されたチューブ仕様のもの（非貼合タイプ）
【００１６】
（実施例１）
外径３２ｍｍΦ、内径２５ｍｍΦ（肉厚約３．５ｍｍ）の硬質塩化ビニル樹脂製円管（以下塩ビ管という。）の一部を、断面円周の約１／４を除去するように切断し、断面がＣ字状の水平保持具２を作成した。
外径２５ｍｍΦ、内径１８ｍｍΦ、長さ６０ｍｍの硬質塩化ビニル樹脂製円管（以下塩ビ管という。）を利用して、端部導入具３とした。
これに、散水チューブ１の端部に、端部導入具３の長さ約半分を内嵌めし、該端部導入具を嵌めた散水チューブ１を、その散水孔１ａが水平保持具２の開口面に位置するように、水平保持具２の内側にスライド挿入して図１に示す水平保持散水装置を得た。
得られた水平保持散水装置は、水平保持具２の適宜位置に壁面に固定するための固定具を取り付けて、図２に示すように、壁面の一定位置に水平保持散水装置を、散水チューブ１の散水孔１ａが壁面に略対面する位置となるように略水平に取り付けて使用することができる。その際、水平保持散水装置の散水チューブに通じる端部導入具に、送水装置（図示しない）からのホースを接続し、一方、散水チューブ末端部を封止して水抜けのない形態で使用する。
【図面の簡単な説明】
【００１７】
【図１】本発明の壁面用散水装置の一例の斜視図を示した図
【図２】本発明の壁面用散水装置を利用した壁面散水方法を示した概略図
【図３】本発明の実施例１で用いた散水チューブの散水孔の設計図
【符号の説明】
【００１８】
１・・軟質散水チューブ、１ａ・・散水孔、２・・水平保持具、３・・端部導入具
【図１】
2005341838.tif 000003
【図２】
2005341838.tif 000004
【図３】
2005341838.tif 000005